(57)【特許請求の範囲】
【請求項１】
建築物の屋上点検口を開閉する蓋体と、前記屋上点検口の屋根面側の開口部付近に設置される枠体と、前記蓋体を前記枠体に連結し、かつ、前記蓋体を前記屋上点検口の開閉方向に回転可能に支持する、ヒンジを有する、屋上点検ハッチであって、前記屋根面に連続する外側面と、前記開口部を画成する内側面と、前記開口部を囲繞する上端面を有し、かつ、前記建築物の屋根面から上方に向かって突出する、立ち上げスラブに固定される、前記屋上点検ハッチにおいて、前記蓋体は、前記屋上点検口を開閉する天板部と、前記天板部に連続し、かつ、前記屋上点検口の閉鎖時に前記立ち上げスラブの前記外側面を囲繞する、側壁部を有し、前記屋上点検口の閉鎖時に前記蓋体の外部と前記屋上点検口の間に生じる空気流の空力騒音を低減させるために、前記蓋体が前記屋上点検口を閉鎖すると、前記立ち上げスラブの前記外側面と前記上端面に沿って空気流路が形成されることを特徴とする、屋上点検ハッチ。
【請求項２】
請求項１に記載された屋上点検ハッチにおいて、前記空気流路は、前記蓋体の前記側壁部の内面と前記立ち上げスラブの前記外側面の間に画成され、かつ、前記蓋体の前記天板部の下面を天井面とし、前記建築物の前記屋根面側を開口部とする、空間と、前記蓋体の前記天板部の前記下面と前記立ち上げスラブの前記上端面の間に画成され、かつ、前記屋上点検口の前記開口部を前記空間に連通させる、空隙を含むことを特徴とする、前記屋上点検ハッチ。
【請求項３】
請求項２に記載された屋上点検ハッチにおいて、前記蓋体の前記側壁部は、前記屋上点検口の閉鎖時に雨水が前記空間を経て前記空隙に侵入することを阻止するために、前記屋上点検口の閉鎖時に、前記立ち上げスラブの外側面を囲繞し、かつ、前記天板部の縁から前記屋根面に向かってほぼ鉛直方向に所定の長さだけ延在することを特徴とする、前記屋上点検ハッチ。
【請求項４】
請求項１乃至３のうちのいずれか一項に記載された屋上点検ハッチにおいて、前記蓋体の前記天板部の下面若しくは前記枠体に、弾性を有する複数個のスペーサ部材を互いに間隔を空けて取り付け、前記スペーサ部材は、前記蓋体の閉鎖時に前記枠体若しくは前記天板部の下面に当接して、前記天板部を前記枠体から離隔させることを特徴とする、前記屋上点検ハッチ。
【請求項５】
請求項１乃至４のうちのいずれか一項に記載された屋上点検ハッチにおいて、前記蓋体の前記天板部の前記下面に、前記ヒンジの回転軸を含む平面に交差する方向に延在する取手部材を取り付け、前記取手部材を前記蓋体の中央部よりも前記蓋体の開放端側に偏倚させて配置したことを特徴とする、前記屋上点検ハッチ。
【請求項６】
請求項１乃至５のうちのいずれか一項に記載された屋上点検ハッチにおいて、前記蓋体と前記枠体の間に、前記蓋体を開放させる方向に付勢力を生じるガススプリングを介装したことを特徴とする、前記屋上点検ハッチ。
【発明の詳細な説明】
【技術分野】
【０００１】
本発明は、マンションや団地等の建築物の屋上点検口に設置される屋上点検ハッチに関するものである。
【背景技術】
【０００２】
マンションの屋上には、空調機器や給水塔等の種々の機器が設置される場合がある。これらの機器を点検するため、マンションの最上階の共用廊下の天井部に、共用廊下から屋上に至る屋上点検口が形成される場合がある。この屋上点検口は、共用廊下の天井部とマンションの屋上に開口するから、マンションの屋上から共用廊下に雨水が落下することを防止し、また、マンションの屋上にみだりに人が立ち入ることを防止するため、従来、屋上点検口の屋上側の開口部に、施錠可能な屋上点検ハッチが取り付けられる。
【０００３】
実開昭６１―０６９３９５号（実願昭５９―１５５３８１号）公報は、建築物の最上階室又は階段室の天井部に開口した屋上点検口に固定される受枠と、この受枠に開閉自在に取付けられた蓋体を有し、この蓋体又は受枠に外部に連通する排煙口部を設け、火災発生等時に煙を最上階室又は階段室に充満させることなく速やかに建物外屋上に逃がすようにした屋上点検口用ハッチを開示する。
【０００４】
ここで、従来の屋上点検ハッチは、蓋体の閉鎖時に蓋体と受枠の間を密封することにより、蓋体と受枠の間から雨水が侵入することを防止するように構成されている。例えば、前述の実願昭５９―１５５３８１号明細書第４頁第１１行乃至第１３行を参照すると、屋上点検用ハッチの閉成時に雨水の侵入を防止するため、屋上点検用ハッチの蓋体は、点検口の開口周縁立上り部全体に略密閉状態で覆い被さる形態を有する。また、同明細書第６頁第２０行乃至第７頁第３行を参照すると、屋上点検用ハッチの蓋体は、受枠の立上り周側壁の上端縁部に、ゴム等の弾性緩衝材を介して閉成される。
【０００５】
他方において、マンション等に設置される屋上点検ハッチは、作業者が種々の工具や器具を持って出入りできるように、間口の広い開口部を具備することが望まれている。しかし、大きな開口部を有する屋上点検口に設置される屋上点検用ハッチは、蓋体も大型になるため、蓋体に歪みを生じ易い。この結果、蓋体の閉鎖時に、蓋体と受枠の間に不規則な隙間を生じる場合がある。蓋体又は受枠に弾性緩衝材やシール材を取付けた場合には、この隙間は、蓋体又は受枠と弾性緩衝材又はシール材との間に生じる。屋上点検ハッチは高所に設置されるから、この隙間を通過する空気の流量によっては、空気流に伴う空力騒音、所謂、笛吹き音を発生する場合がある。特に、マンションには多数の住人が居住しているから、このような騒音の発生はマンションの価値を大きく低下させる要因になる。
【０００６】
更に、屋上点検ハッチの蓋体を大型化すると、蓋体の重量が増加するから、蓋体の開放に大きな力を要する。
【先行技術文献】
【特許文献】
【０００７】
【特許文献１】実開昭６１―０６９３９５号公報
【発明の概要】
【発明が解決しようとする課題】
【０００８】
本発明の目的は、屋上点検口の閉鎖時に、笛吹き音等の空力騒音の発生を防止することができると共に、雨水の侵入を防止することができる、屋上点検ハッチを提供することにある。
本発明の他の目的は、屋上点検ハッチの蓋体や枠体を大型化した場合でも、屋上点検口の閉鎖時に、笛吹き音等の空力騒音の発生を防止することができると共に、雨水の侵入を防止することができる、屋上点検ハッチを提供することにある。
本発明の更に他の目的は、蓋体を容易に開閉することができる、屋上点検ハッチを提供することにある。
【課題を解決するための手段】
【０００９】
本発明の屋上点検ハッチは、建築物の屋上点検口を開閉する蓋体と、前記屋上点検口の屋根面側の開口部付近に設置される枠体と、前記蓋体を前記枠体に連結し、かつ、前記蓋体を前記屋上点検口の開閉方向に回転可能に支持する、ヒンジを有する、屋上点検ハッチであって、前記屋根面に連続する外側面と、前記開口部を画成する内側面と、前記開口部を囲繞する上端面を有し、かつ、前記建築物の屋根面から上方に向かって突出する、立ち上げスラブに固定される、前記屋上点検ハッチにおいて、前記蓋体は、前記屋上点検口を開閉する天板部と、前記天板部に連続し、かつ、前記屋上点検口の閉鎖時に前記立ち上げスラブの前記外側面を囲繞する、側壁部を有し、前記屋上点検口の閉鎖時に前記蓋体の外部と前記屋上点検口の間に生じる空気流の空力騒音を低減させるために、前記蓋体が前記屋上点検口を閉鎖すると、前記立ち上げスラブの前記外側面と前記上端面に沿って空気流路が形成されることを特徴とする。
【００１０】
屋上点検ハッチの蓋体が屋上点検口を閉鎖すると、立ち上げスラブの外側面と上端面に沿って空気流路が形成され、この空気流路を介して蓋体の外部と屋上点検口の間に空気が流通する。この空気流路の形状及び寸法は、空気流路を通過する空気流が空力騒音を生じないように決定される。この空気流路は、蓋体の閉鎖時に、蓋体の側壁部の内面と立ち上げスラブの外側面の間に画成され、かつ、蓋体の天板部の下面を天井面とし、建築物の屋根面側を開口部とする、空間と、蓋体の天板部の下面と立ち上げスラブの上端面の間に画成され、かつ、屋上点検口の開口部を前記空間に連通させる、空隙を含むことができる。これにより、空気流は、建築物の屋根面側の開口部から前記空間に流入し、前記空間内を立ち上げスラブの外側面に沿って上昇して蓋体の天板部の下面に至り、次いで、前記空隙に流入して屋上点検口の屋上側の開口部に至り、屋上点検口を通過して、屋上点検口の廊下側の開口部から流出することができる。屋上点検口の廊下側の開口部から流入した空気流は、逆の経路を辿って、前記空間の開口部から蓋体の外部に流出することができる。
【００１１】
建築物の屋根面にコンクリート等で形成された立ち上げスラブは大きな質量を有するから、空気流路を流れる空気流によって振動することはない。したがって、立ち上げスラブに沿って空気流路を形成することにより、空気流路を流れる空気流の空力騒音を効果的に低減させることができる。また、この空気流路を、蓋体の側壁部の内面と蓋体の天板部の下面とに沿って形成すれば、蓋体を立ち上げスラブの至近距離に配置することができる。ここで、蓋体の天板部の上面と蓋体の側壁部の外面を連続した平面によって構成すれば、建築物の屋根面からの大きな突起を生じることなく、建築物の屋根面にできる限り沿った形態の屋上点検ハッチを提供することができる。更に、蓋体の天板部の上面と蓋体の側壁部の外面を連続した平面によって構成すれば、蓋体の天板部の上面や側壁部の外面に沿う空気流によって空力騒音が発生することを効果的に防止することができる。
【００１２】
屋上点検ハッチの蓋体は天板部と側壁部を有し、屋上点検口の閉鎖時に、天板部に連続する側壁部が立ち上げスラブの外側面を囲繞するから、雨水が屋上点検口に侵入することを防止することができる。蓋体の側壁部は、屋上点検口の閉鎖時に雨水が前記空間を経て前記空隙に侵入することを確実に阻止するため、天板部の縁から屋根面に向かって、ほぼ鉛直方向に、所定の長さだけ延在させることができる。
【００１３】
蓋体の天板部の下面若しくは枠体に、弾性を有する複数個のスペーサ部材を互いに間隔を空けて取り付け、これらのスペーサ部材が、蓋体の閉鎖時に枠体若しくは蓋体の天板部の下面に当接して、天板部を枠体から離隔させるように構成することができる。これにより、蓋体の天板部の下面と立ち上げスラブの上端面の間に、空気流路の前記空隙を形成することができる。
【００１４】
蓋体の天板部の下面に、蓋体のヒンジの回転軸を含む平面に交差する方向に延在するように、取手部材を取り付け、この取手部材を蓋体の中央部よりも蓋体の開放端側に偏倚させて配置することにより、蓋体の開閉力を軽減することができる。すなわち、取手部材を、蓋体の開放端の近傍から蓋体の中央部付近まで延在させることによって、作業者が取手を掴む位置をヒンジの回転軸から離隔させることができるから、蓋体を押し上げる際の回転モーメントを増大させることができる。更に、作業者は、蓋体の開閉時に、取手を掴む位置を、蓋体の開放端に向かって、又は、蓋体のヒンジに向かって、徐々に移動させることができるから、作業者は、屋上点検口のステップに掛けられた梯子を昇降しながら、蓋体を滑らかに開閉することができる。
【００１５】
蓋体と枠体の間にガススプリングを介装し、ガススプリングが蓋体を開放させる方向に付勢力を付与する領域と、蓋体を閉鎖させる方向に付勢力を付与する領域の反転点を適当位置に設定すれば、蓋体の開放時にこの反転点を過ぎると、蓋体はガススプリングの付勢力によって開放方向に付勢され、蓋体の閉鎖時にこの反転点を過ぎると、蓋体はガススプリングの付勢力によって閉鎖方向に付勢されるから、前述の取手の作用と相俟って、蓋体を安全にかつ容易に開閉することができる。
【図面の簡単な説明】
【００１６】
【図１】図１は、本発明の屋上点検ハッチの蓋体を閉鎖したときの外観を表す斜視図である。（実施例１、２）
【図２】図２は、図１の屋上点検ハッチの蓋体を開放したときの外観を表す斜視図である。（実施例２）
【図３】図３は、図１の屋上点検ハッチを廊下の天井側から見た平面図である。（実施例１、２）
【図４】図４は、本発明の屋上点検ハッチの構成を表す一部切り欠き断面図である。（実施例１）
【図５】図５（Ａ）は、本発明の屋上点検ハッチの蓋体の下面の一部切り欠き平面図であり、図５（Ｂ）は、図５（Ａ）のＩＩＩ−ＩＩＩ方向矢視図であり、図５（Ｃ）は、蓋体のヒンジ取付け部を表す図５（Ａ）のＩＶ方向矢視図であり、図５（Ｄ）は、蓋体のヒンジ取付け部を表す図５（Ａ）のＶ方向矢視図である。（実施例１、２）
【図６】図６（Ａ）は、本発明の屋上点検ハッチの枠体の平面図であり、図６（Ｂ）は、図６（Ａ）のＶＩ−ＶＩ線に沿う断面図であり、図６（Ｃ）は、図６（Ａ）のＶＩＩ方向矢視図である。（実施例１、２）
【図７】図７（Ａ）、（Ｂ）は、本発明の屋上点検ハッチの枠体の側面図であり、このうち、図７（Ａ）は、図６（Ａ）のＶＩＩＩ方向矢視図であり、図７（Ｂ）は、図６（Ａ）のＩＸ方向矢視図である。（実施例１、２）
【図８】図８（Ａ）、（Ｂ）は、本発明の屋上点検ハッチの要部断面図であり、図８（Ａ）は、図４の枠Ｉで囲んだ部分の拡大図を示し、図８（Ｂ）は、図４の枠ＩＩで囲んだ部分の拡大図を示す。（実施例１）
【図９】図９（Ａ）、（Ｂ）は、本発明の屋上点検ハッチの他の実施例の要部断面図であり、図９（Ａ）は、図８（Ａ）に対応する部分を示し、図９（Ｂ）は、図８（Ｂ）に対応する部分を示す。（実施例２）
【図１０】図１０は、本発明の屋上点検ハッチの施錠部の一部切り欠き斜視図である。（実施例１、２）
【図１１】図１１は、図１０の施錠部の正面図である。（実施例１、２）
【図１２】図１２は、本発明の屋上点検ハッチをマンションの屋上点検口に取付けた状態の断面図である。（実施例１、２）
【図１３】図１３は、図１２の屋上点検ハッチの蓋体を開放し、梯子を掛けた状態の断面図である。（実施例１、２）
【発明を実施するための形態】
【００１７】
屋上点検口の開口部を拡大するため、屋上点検ハッチの蓋体や枠体を大型化した場合でも、笛吹き音等の空力騒音の発生と雨水の侵入を防止し、蓋体の開閉を容易化するという目的を、簡単な構成で実現した。
【実施例１】
【００１８】
図１乃至８及び図１０乃至１３は、本発明の第一実施例の屋上点検ハッチ１とその構成部品を示す。屋上点検ハッチ１は、図１、２、１２、１３に示されているように、建築物の屋上の屋根面２から上方に向かって突出形成された立ち上げスラブ３に取付けられる。立ち上げスラブ３は、建築物の屋上スラブ４に一体化され、図１２及び１３の屋上スラブ４は、建築物の廊下の天井部分の躯体を構成している。立ち上げスラブ３は、ほぼ正方形の開口部５を囲繞する方形の枠体であり、開口部５は、屋上点検口６の屋上側の開口部を構成する。屋上点検口６は、屋上スラブ４に形成された方形断面の通路であり、屋上側の開口部５と、廊下の天井面に開口した廊下側の開口部（図示せず。）の間に垂直方向に延在する。図中、参照番号Ｓは、屋上点検口６に固定された昇降用ステップである。
【００１９】
立ち上げスラブ３は、少なくとも、屋根面２に落下した雨水が開口部５に流入しない高さだけ、屋根面２から突出し、屋根面２に連続する４つの外側面７と、開口部５を画成する４つの内側面８と、ほぼ正方形の形状を成して開口部５を囲繞する上端面９を有する。
【００２０】
屋上点検ハッチ１は、立ち上げスラブ３の開口部５に固定される枠体１０を有する。枠体１０は、図６（Ａ）に示すように、４本の内枠アングル１１を方形に連結することによって構成される。各内枠アングル１１は、ステンレス鋼板を成形することによって、立ち上げスラブ３の内側面８と上端面９に係合するように成形される。これらの内枠アングル１１のうちの１本には、一対のブラケット１２が間隔を空けて溶接されている。ブラケット１２はステンレス鋼板によって構成され、図６（Ｂ）に示すように、枠体１０の外方へ向かって延在し、その先端部に屈曲部１３を有する。屈曲部１３にはヒンジ１４が取付けられ、ヒンジ１４の回転軸１５は、ブラケット１２が溶接された内枠アングル１１に平行に延在する。枠体１０と屈曲部１３の間の間隙Ｇは、少なくとも、立ち上げスラブ３の上端面９を収容できる大きさを有する。
【００２１】
枠体１０の内枠アングル１１のうち、ブラケット１２を溶接した内枠アングル１１に対向する内枠アングル１１には、施錠用のブラケット１６が溶接されている。ブラケット１６は、コ字状に屈曲成形された鋼板によって構成され、互いに平行に延在する一対の突起片１７、１８を有する。突起片１７、１８には、貫通孔１９、２０が形成される。図６（Ａ）に示すように、突起片１７は、枠体１０の中央線ＣＥに合致する位置に配置され、突起片１８は、枠体１０の中央線ＣＥから側方に偏倚した位置に配置される。枠体１０の内枠アングル１１のうち、ブラケット１２が溶接された内枠アングル１１と、ブラケット１６が溶接された内枠ブラケット１１には、それぞれ、枠体１０の内方に突出した一対のアンカー取付けねじ２１が固定されている。また、アンカー取付けねじ２１が固定されていない内枠アングル１１には、ガススプリング取付けねじ２２が固定されている。
【００２２】
屋上点検ハッチ１は、また、屋上点検口６の屋上側の開口部５を開閉するための蓋体２３を有する。蓋体２３は、ステンレス鋼板によって形成され、ほぼ正方形の天板部２４と、天板部２４の四辺に沿って折り曲げられた側壁部２５とを有する。天板部２４は、連続した平坦な上面２６と、上面２６の裏面側の下面２７を有する。側壁部２５は、天板部２４の下面２７の側にほぼ９０度の角度で折り曲げられて形成され、天板部２４の上面２６に連続する外面２８と、天板部２４の下面２７に連続する内面２９を有する。
【００２３】
蓋体２３の天板部２４の下面２７には、取手部材３０と、施錠部材３１と、ガススプリング取付けブラケット３２、３３と、弾性スペーサ部材３４、３５が取付けられている。取手部材３０は、図５に示すように、蓋体２３の中央軸線ＣＮに沿って配置され、蓋体２３の開放端ＯＥの側に偏倚した位置に固定されている。蓋体２３の開放端ＯＥは、蓋体２３のヒンジ端ＨＥの反対側に位置する。取手部材３０は、蓋体２３の中央軸線ＣＮに沿って延在する長孔３６を有する。取手部材３０と開放端ＯＥの間には施錠部材３１が配置される。施錠部材３１は、中央軸線ＣＮを挟んで対向する一対の有孔ブラケット３７、３８からなり、有孔ブラケット３７、３８に形成された貫通孔３９、４０は、施錠用のブラケット１６の突起片１７に形成された貫通孔１９と整合可能である。
【００２４】
図５（Ａ）及び（Ｂ）に示すように、蓋体２３のヒンジ端ＨＥの側の側壁部２５には、側壁部２５のコーナー部の内面２９に補強板４１が溶接されている。補強板４１は、ヒンジ端ＨＥの側の側壁部２５と、この側壁部２５に隣接する他の側壁部２５との間に延在するように、屈曲成形された板材から成り、ヒンジ端ＨＥの側の板材には、図５（Ｃ）及び（Ｄ）に示すように、ヒンジ１４に連結するための連結孔４２が穿孔されている。連結孔４２は、補強板４１と、ヒンジ端ＨＥの側の側壁部２５を貫通する。
【００２５】
蓋体２３は、連結孔４２に挿入したボルトによって、ヒンジ端ＨＥの側の側壁部２５の内面２９に、枠体１０に装着したヒンジ１４、１４を固定することにより、枠体１０に連結される。これにより、蓋体２３は、枠体１０に対し、ヒンジ１４、１４の回転軸１５を中心にして、回動可能となる。次いで、蓋体２３のガススプリング取付けブラケット３２、３３と、枠体１０のガススプリング取付けねじ２２、２２の間に、それぞれ、ガススプリング４３、４４が取付けられる。ガススプリング４３、４４は、図４に示すように、蓋体２３を矢印方向に回転させるとき、蓋体２３に矢印方向への付勢力を作用させる。これにより、枠体１０、蓋体２３、ガススプリング４３、４４は一体化され、屋上点検ハッチ１が完成する。図３は、完成した屋上点検ハッチ１を枠体１０の側から見た底面図である。
【００２６】
屋上点検ハッチ１は、図２、４、１０に示すように、枠体１０の内枠アングル１１を立ち上げスラブ３の内側面８と上端面９に係合させて、屋上点検口６の屋上側の開口部５に嵌合され、アンカー取付け部材４５によって立ち上げスラブ３の内側面８に固定される。アンカー取付け部材４５の上部は、枠体１０のアンカー取付けねじ２１に係合し、このねじ２１に螺合するナイロンインサートロックナット４６によって枠体１０に固定される。アンカー取付け部材４５の下部は、立ち上げスラブ３の内側面８に打ち込まれたアンカー４７に係合し、アンカー４７に螺合するナイロンインサートロックナット４８によって立ち上げスラブ３に固定される。
【００２７】
図８（Ａ）は、図４の枠Ｉで囲まれた部分を拡大した図であり、図８（Ｂ）は、図４の枠ＩＩで囲まれた部分を拡大した図である。蓋体２３の開放端ＯＥの側では、図８（Ａ）に示すように、天板部２４の下面２７に取り付けられた弾性スペーサ部材３４が内枠アングル１１に当接し、天板部２４を内枠アングル１１から離隔させる結果、天板部２４の下面２７と立ち上げスラブ３の上端面９の間に空隙１００が形成される。蓋体２３のヒンジ端ＨＥの側では、図８（Ｂ）に示すように、天板部２４の下面２７が、内枠アングル１１に固定された一対のブラケット１２に当接する結果、これらのブラケット１２の間に空隙１００が形成される。これらの空隙１００は、屋上点検口６の屋上側の開口部５に連通する。
【００２８】
蓋体２３の開放端ＯＥの側では、また、図８（Ａ）に示すように、蓋体２３の側壁部２５の内面２９と立ち上げスラブ３の外側面７の間に空間２００が形成される。蓋体２３のヒンジ端ＨＥの側では、図８（Ｂ）に示すように、蓋体２３の側壁部２５の内面２９と立ち上げスラブ３の外側面７の間に空間２００が形成される。これらの空間２００は、天板部２４の下面２７を天井面とし、建築物の屋根面２側を開口部２０１とする。空隙１００は空間２００に連通し、空間２００は開口部２０１を介して蓋体２３の外部に連通するから、屋上点検ハッチ１の蓋体２３を閉鎖した状態で、蓋体２３と立ち上げスラブ３の間には空気流路が形成される。この空気流路は、蓋体２３の開放端ＯＥの側と、蓋体２３のヒンジ端ＨＥの側とに形成されるのみでなく、立ち上げスラブ３の左右の外側面７の側にも形成されるから、空気は立ち上げスラブ３の四方から屋上点検口６に出入りすることができる。このように、屋上点検ハッチ１は、蓋体２３が屋上点検口６を閉鎖すると、立ち上げスラブ３の外側面７と上端面９に沿って空気流路が形成されるから、屋上点検口６の閉鎖時に蓋体２３の外部と屋上点検口６の間に生じる空気流の空力騒音を低減させることができる。
【００２９】
更に、屋上点検ハッチ１の蓋体２３が屋上点検口６を閉鎖すると、天板部２４に連続する側壁部２５が立ち上げスラブ３の外側面７を囲繞すると共に、天板部２４の縁から屋根面２に向かって、ほぼ鉛直方向に、所定の長さだけ延在することにより、雨水が空間２００を経て空隙１００に侵入することを確実に阻止する。
【００３０】
蓋体２３を閉鎖すると、図１１に示すように、蓋体２３の下面２７に固定された施錠部材３１の一対の有孔ブラケット３７、３８の間に、枠体１０に固定されたブラケット１６の突起片１７が挿入される。この状態で、有孔ブラケット３７、３８の貫通孔３９、４０と突起片１７の貫通孔１９に施錠装置４９のシャックルを挿入すれば、蓋体２３を施錠することができる。蓋体２３の施錠を解除したときには、図１０及び１１に示すように、取り外した施錠装置４９のシャックルをブラケット１６の突起片１８の貫通孔２０に掛け止めしておけば、施錠装置４９の紛失を防止することができると共に、蓋体２３を閉鎖したときに蓋体２３を直ちに施錠することができる。
【００３１】
図１２に示すように、蓋体２３を閉鎖した状態から、図１３に示すように、蓋体２３を開放するには、梯子５０を利用してステップＳに上った作業者が、施錠装置４９を解除した後、蓋体２３の取手部材３０を持って、蓋体２３を矢印方向に回転させる。取手部材３０は蓋体２３の開放端ＯＥの側に偏倚して取り付けられ、作業者はヒンジ１４の回転軸１５から離隔した位置で蓋体２３を押し上げることになる。よって、作業者は小さい力で蓋体２３を開放させることができる。また、取手部材３０には、ヒンジ１４の回転軸１５の方向へ伸びる長孔３６が形成されているから、作業者は、蓋体２３が開放するにつれて、取手部材３０の握持位置を滑らかに変更しながら、蓋体２３を開放させることができる。また、作業者は、蓋体２３を閉鎖するときにも、取手部材３０の握持位置を滑らかに変更しながら、蓋体２３を閉鎖することができる。
【実施例２】
【００３２】
図９（Ａ）、（Ｂ）は、本発明の第二実施例の屋上点検ハッチ５１を示し、図９（Ａ）は、図８（Ａ）に対応する図であり、図９（Ｂ）は、図８（Ｂ）に対応する図である。図９（Ａ）、（Ｂ）中で使用した参照番号のうち、図８（Ａ）、（Ｂ）で使用した参照番号と同一の番号は、同一の構成部材を示す。本発明の第二実施例の特徴は、図８（Ａ）、（Ｂ）中の空隙１００に相当する空隙１０００を拡大したことにある。すなわち、この実施例では、第一実施例の弾性スペーサ部材３４の代わりに、より嵩の大きな弾性スペーサ部材３４０を使用すると共に、枠体１０の内枠アングル１１と立ち上げスラブ３の上端面９の間に、弾性パッキン３４１を介在させてある。弾性パッキン３４１は、立ち上げスラブ３の上端面９に不陸がある場合に、立ち上げスラブ３の上端面９と内枠アングル１１の間に不規則な空隙が生じるのを防止し、この空隙を空気流が通過して空力騒音が発生するのを防止する。本発明の第二実施例では、嵩の大きな弾性スペーサ部材３４０を使用するのに伴い、図９（Ｂ）に示すように、蓋体２３の閉鎖時に、蓋体２３の天板部２４の下面２７がブラケット１２に当接することなく、離隔している。これにより、ブラケット１２の上方にも空隙１０００が生じ、空気流の流量を更に増加させることができる。
【産業上の利用可能性】
【００３３】
本発明の実施例では、横断面形状が正方形の屋上点検口に設置する、正方形の蓋体と正方形の枠体を有する屋上点検ハッチを示したが、蓋体及び枠体の形状は正方形に限定されることなく、円形、長方形等の他の形状にすることもできる。
【符号の説明】
【００３４】
１    屋上点検ハッチ
２    屋根面
３    立ち上げスラブ
４    屋上スラブ
５    屋上点検口の屋上側の開口部
６    屋上点検口
７    立ち上げスラブの外側面
８    立ち上げスラブの内側面
９    立ち上げスラブの上端面
１０    枠体
１４    ヒンジ
２３    蓋体
５１    屋上点検ハッチ
１００    空隙
２００    空間
１０００    空隙
【図１】
0005508160.tif 000002
【図２】
0005508160.tif 000003
【図３】
0005508160.tif 000004
【図４】
0005508160.tif 000005
【図５】
0005508160.tif 000006
【図６】
0005508160.tif 000007
【図７】
0005508160.tif 000008
【図８】
0005508160.tif 000009
【図９】
0005508160.tif 000010
【図１０】
0005508160.tif 000011
【図１１】
0005508160.tif 000012
【図１２】
0005508160.tif 000013
【図１３】
0005508160.tif 000014